(57)【要約】【課題】本発明は目的や用途に応じた種々の浮子交換がワンタッチで行える共に浮子の色を簡単に且つ素早く変更出来る釣糸の中通し不要な浮子を提供することを目的とする。【解決手段】中心に達する割り溝１２を形成すると共に中央付近で円周方向に上下２本の外周溝１３を形成した浮子本体１と、該浮子本体１の上下に冠着可能で中心に達する割り溝２２，３２を形成すると共に開口部付近の内周に係止用突起２３，３３を形成した上キャップ２と下キャップ３とから成し、該上下キャップ２，３が浮子本体１の中央付近と弾性係止可能な構造とする。又、上下キャップ２，３を同一形状としても良い。【選択図】        図１
2004222523.tif 000002
【特許請求の範囲】
【請求項１】
中心に達する割り溝（１２）を形成した浮子本体（１）と、該浮子本体（１）の上下に冠着可能で中心に達する割り溝（２２），（３２）を形成した上キャップ（２）と下キャップ（３）とから成り、該上下キャップ（２），（３）が前記浮子本体（１）の中央付近と弾性係止可能にしたことを特徴とする釣糸の中通し不要な浮子。
【請求項２】
前記浮子本体（１）の中央付近で円周方向に上下２本の外周溝（１３）を形成し、且つ前記上下キャップ（２），（３）の開口部付近の内周に係止用突起（２３），（３３）を形成した請求項１記載の釣糸の中通し不要な浮子。
【請求項３】
前記浮子本体（１）が、くびれ部（１４）を中央に有する略繭形状に形成され、且つ前記上下キャップ（２），（３）が、その開口部を狭くした請求項１記載の釣糸の中通し不要な浮子。
【請求項４】
前記上下キャップ（２），（３）が同一形状である請求項１、２又は３記載の釣糸の中通し不要な浮子。
【請求項５】
中心に達する割り溝（１２）を形成すると共に下端に突出部（１５）を設けた浮子本体（１）と、該浮子本体（１）の上部に冠着可能で中心に達する割り溝（２２）を形成した上キャップ（２）と、前記浮子本体（１）の前記突出部（１５）に装着可能で中心に達する割り溝（４２）を形成したキャップ（４）とから成り、前記上キャップ（２）が前記浮子本体（１）の中央付近と弾性係止可能に成され、且つ前記キャップ（４）が前記浮子本体（１）の下部と弾性係止可能にしたことを特徴とする釣糸の中通し不要な浮子。
【請求項６】
前記浮子本体（１）の中央付近で円周方向に１本の外周溝（１３）を形成し、前記上キャップ（２）の開口部付近の内周に係止用突起（２３）を形成し、且つ前記キャップ（４）の開口部付近の内周に係止用突起（４３）を形成した請求項５記載の釣糸の中通し不要な浮子。
【請求項７】
前記突出部（１５）の外周にネジ山を刻設させ、且つ前記キャップ（４）には前記ネジ山と螺合するネジ穴を形成させた請求項５記載の釣糸の中通し不要な浮子。
【発明の詳細な説明】
【０００１】
【発明の属する技術分野】
本発明は、外周より貫通穴に至る割り溝を形成した浮子本体を備え、その割り溝を利用して横方向より釣糸が貫通穴に挿通され、釣糸を切ることなく、浮子本体の交換ができる釣糸の中通し不要な浮子に関する。
【０００２】
【従来の技術】
従来、釣糸を切ることなく、浮子本体の交換ができる釣糸の中通し不要な釣用浮子としては、特開２０００−６０３８６の図１１に開示されているように、中心に貫通穴（１１）を設けると共にそれに達する割り溝（１２）を有した中空卵状な合成樹脂製の浮子本体（１）と、該浮子本体（１）の上下で螺合する２つの芯棒とから構成されたものである（図８参照）。この浮子本体（１）の貫通穴（１１）上端及び下端の中心にはネジ穴が穿設され、前記芯棒にはネジ山が形成された軸部と、その端部分に設けた該軸部の外径より大きな頭部とがあり、且つ該頭部及び前記軸部を縦通する中心穴が形成されると共に前記頭部の中心穴端部に拡径部分を設け、該拡径部分にはセラミック製のリング環が挿着されている。前記釣用浮子を使用する場合には、先ず浮子本体（１）の上下に螺合可能に芯棒を釣糸（５）に通す。次に浮子本体（１）の割り溝（１２）を釣糸（５）に沿って挿入し、貫通穴（１１）へ釣糸（５）を挿通させる。その後、浮子本体（１）の上下のネジ穴に上下方向から芯棒のネジ山を螺合させる。この時、リング環が挿着されていることにより、リング環と釣糸（５）との点接触を可能にして釣糸（５）のスベリを良くすることが出来るものであった。
【０００３】
【発明が解決しようとする課題】
しかしながら特開２０００−６０３８６は、予め前記芯棒が釣糸（５）に通されていないと浮子本体（１）を取付けることが出来ず、且つ前記浮子本体（１）はその上下に芯棒を螺合させるため、軸部に設けたネジ山の数だけ回転する必要があり、浮子本体（１）の交換に手間が掛り、素早く釣糸（５）に浮子本体（１）を取付けることが出来なかった。また浮子本体（１）の色を変えたい時には、予め用意した別の色の浮子本体（１）と交換すると共にその交換にも時間が掛っていた。更に他の仕掛けを使用する場合、芯棒が邪魔になるため、釣糸（５）を切ってその取外しや取付けをしなければならない等の問題点があった。
【０００４】
本発明は目的や用途に応じた種々の浮子交換がワンタッチで行える共に浮子の色を簡単に且つ素早く変更出来る釣糸の中通し不要な浮子を提供することを目的とする。
【０００５】
【課題を解決するための手段】
本発明は上記問題点を解消するために成されたものであり、つまり中心に達する割り溝を形成した浮子本体と、該浮子本体の上下に冠着可能で中心に達する割り溝を形成した上キャップと下キャップとから成し、該上下キャップが浮子本体の中央付近と弾性係止可能な構造とする。また浮子本体の中央付近で円周方向に上下２本の外周溝を形成し、且つ上下キャップの開口部付近の内周に係止用突起を形成すると良く、浮子本体として、くびれ部を中央に有する略繭形状に形成させ、且つ上下キャップの開口部を狭くすると良い。更に上下キャップを同一形状としても良い。
【０００６】
又、中心に達する割り溝を形成すると共に下端に突出部を設けた浮子本体と、該浮子本体の上部に冠着可能で中心に達する割り溝を形成した上キャップと、浮子本体の突出部に装着可能で中心に達する割り溝を形成したキャップとから成し、上キャップが浮子本体の中央付近と弾性係止可能に成され、且つキャップが浮子本体の下部と弾性係止可能な構造とする。また浮子本体の中央付近で円周方向に１本の外周溝を形成し、上キャップの開口部付近の内周に係止用突起を形成し、且つキャップ本体の開口部付近の内周に係止用突起を形成すると良く、突出部の外周にネジ山を刻設させ、且つキャップにネジ山と螺合するネジ穴を形成させると良い。尚、本発明で言う「弾性係止」とは、係止した時に弾性力が付勢されている状態を指す。
【０００７】
【発明の実施の形態】
図１は本発明の実施形態を示す図であり、これに基づいて説明する。（１）は中心に貫通穴（１１）を設けると共にそれに達する割り溝（１２）を有した中空卵状或いは図６（ａ）に示すウレタンなどの合成樹脂製で無垢な浮子本体であり、該浮子本体（１）の中央付近で円周方向に上下２本の外周溝（１３）が形成されている。前記割り溝（１２）の幅は釣糸（５）の太さよりも広く設けられている。尚、前記割り溝（１２）は一般に図７（ａ）に示す状態で設けられるが、図７（ｂ）のように貫通穴（１１）も兼用させた状態で設けても良い。また浮子本体（１）の形状や材質は、上記形状や材質に限定されるものではなく、例えば材質として木を用いても良い。（２）は浮子本体（１）の上部に冠着可能で且つ中心穴（２１）が設けられると共にそれに達する割り溝（２２）を形成した上キャップであり、該上キャップ（２）の開口部付近の内周には、前記外周溝（１３）に弾性係止する係止用突起（２３）が形成されている（図６参照）。（３）は浮子本体（１）の下部に冠着可能で且つ中心穴（３１）が設けられると共にそれに達する割り溝（３２）を形成した下キャップであり、該下キャップ（３）の開口部付近の内周には、前記外周溝（１３）に弾性係止する係止用突起（３３）が形成されている。また前記上下キャップ（２），（３）を同一形状のものとして用いても良い。尚、前記上下キャップ（２），（３）は硬質な合成樹脂で形成され、且つ前記割り溝（２２），（３２）が広げられた時には、元に戻ろうとする弾性力が働く材質のものを用いると良い。又、前記上下キャップ（２），（３）には目立つ色を付け、数種類のものを用意しておくと良い。更に前記割り溝（２２），（３２）は図７（ｂ）と同様に中心穴（２１），（３１）も兼用させたものとしても良い。
【０００８】
図２は本発明の別実施形態を示す図であり、これは上記実施形態と比べると、浮子本体（１）には、くびれ部（１４）を中央に有する略繭形状に形成され、外周溝（１３）がないものである。また前記上下キャップ（２），（３）には、その開口部を狭くしただけであり、係止用突起（２３），（３３）がないものである。他の箇所は同じである。尚、前記上下キャップ（２），（３）は上記実施形態のものをそのまま使用しても良く、また前記上下キャップ（２），（３）としては上記実施形態及び別実施形態の上キャップ（２）を２つ使用しても良い。
【０００９】
図３は本発明の他の実施形態を示す図であり、これは図１の上記実施形態と比べると、浮子本体（１）の中央付近で円周方向に外周溝（１３）が上キャップ（２）用の１本だけ形成され、浮子本体（１）の下端には突出部（１５）が設けられている。また前記下キャップ（３）の代わりに、前記突出部（１５）に装着可能で中心穴（４１）を有すると共にそれに達する割り溝（４２）を形成したキャップ（４）が設けられ、該キャップ（４）は略袋ナット形状に形成され、その開口部付近の内周に係止用突起（４３）が形成されている。他の箇所は同じである。尚、前記浮子本体（１）を略繭形状に形成し、上記実施形態の上キャップ（２）を使用しても良い。また前記突出部（１５）の外周にネジ山を刻設させ、且つ前記キャップ（４）には前記ネジ山と螺合するネジ穴を形成させたものとしても良い。
【００１０】
次に本発明品の取付方法について説明する。先ず始めに、状況に合った浮子本体（１）を選択すると共に該浮子本体（１）の中央付近で弾性係止して上下キャップ（２），（３）を冠着させ、且つ割り溝（２２），（３２）を割り溝（１２）に合わせる。この時、上下キャップ（２），（３）は上下方向から押せば、割り溝（２２），（３２）が広がるので簡単に浮子本体（１）の外周に冠着出来ると共に係止用突起（２３），（３３）が外周溝（１３）へ容易に係止出来るものとなる。次に割り溝（１２），（２２），（３２）を利用して、セル玉（６）間で貫通穴（１１）を釣糸（５）にワンタッチで挿通させて浮子が取付けられる［図６（ａ）参照］。その後、上下キャップ（２），（３）を回して割り溝（２２），（３２）が割り溝（１２）からずらされることにより、釣糸（５）は浮子本体（１）から外れることがなくなる（図４参照）。尚、図３に示す他の実施形態のものが取付けられると、図５、図６（ｂ）に示すようになる。その後、浮子本体（１）を交換する時には、先ず上下キャップ（２），（３）を回し、割り溝（２２），（３２）を割り溝（１２）に合わせた後、横方向に移動させるだけで簡単に浮子全体を取外すことが出来る。そして別に用意した浮子本体（１）或いは上下キャップ（２），（３）も一緒に用意し、上記同様にして横方向から浮子全体を釣糸（５）に取付けることが出来るのである。
【００１１】
更に浮子本体（１）の色を変更する場合には、先ず浮子本体（１）の上に冠着した上キャップ（２）の割り溝（２２）を手で広げ、係止用突起（２３）を外周溝（１３）から外すと共に上キャップ（２）を上方向に移動させて浮子本体（１）から外し、且つ上キャップ（２）の割り溝（２２）を釣糸（５）に合わせてから横方向に移動させるだけで簡単に上キャップ（２）を取外すことが出来る。同様に下キャップ（３）も浮子本体（１）から外すと共に釣糸（５）からも外す。そして下キャップ（３）を浮子本体（１）の上に冠着し、且つ上キャップ（２）を浮子本体（１）の下に冠着することにより、水面から見える浮子本体（１）の色が変更出来るのである。又、上下２色以外の色に変更する場合には、浮子本体（１）の上に冠着した上キャップ（２）を上記要領で取外し、別に用意した色の上キャップ（２）を浮子本体（１）の上に冠着させることにより、ワンタッチで浮子本体（１）の色の変更が行われるのである。尚、この時、図５に示すような浮子を用いる場合には、必ず上キャップ（２）を外し、別に用意した色の上キャップ（２）を浮子本体（１）の上に冠着させる。
【００１２】
【発明の効果】
本発明はこのように構成させたことにより、下記に記載する効果を有する。
【００１３】
請求項１のように中心に達する割り溝（１２）を形成した浮子本体（１）と、該浮子本体（１）の上下に冠着可能で中心に達する割り溝（２２），（３２）を形成した上キャップ（２）と下キャップ（３）とから成り、該上下キャップ（２），（３）が浮子本体（１）の中央付近と弾性係止可能にすることにより、浮子を横方向から釣糸（５）を貫通穴（１１）に通すことが可能となるので、釣糸（５）を切ることなく簡単で素早く、目的や用途に応じた種々の浮子全体の交換がワンタッチで行えるものとなった。また上下キャップ（２），（３）を交換したり取換えたりするだけで、浮子の色を簡単に且つ素早く変更することが出来るものとなる。更に釣竿を分解して片付ける際や他の仕掛けを使用する場合、従来の如き釣糸（５）を切ってから取外したり取付けたりする手間が不要となるため、極めて短時間で納竿が出来るものとなる。尚、浮子の大きさ、材質、個数、浮力の違うサイズのものを最小数用意しておけば、釣場の状況や刻々と変化する海の状況等に合わせた最適条件の浮子本体（１）に交換することが短時間で可能となる。
【００１４】
請求項２のように浮子本体（１）の中央付近で円周方向に上下２本の外周溝（１３）を形成し、且つ上下キャップ（２），（３）の開口部付近の内周に係止用突起（２３），（３３）を形成することにより、上下キャップ（２），（３）の割り溝（２２），（３２）が手で簡単に広がるため、浮子本体（１）の外周溝（１３）に係止用突起（２３），（３３）が容易に係止出来ると共に弾性力が付勢された状態のものとなり、上下キャップ（２），（３）が簡単に且つ確実に浮子本体（１）と一体化されるものとなる。更に割り溝（２２），（３２）を手で広げることにより、上下キャップ（２），（３）が簡単に取外されるものとなるため、浮子の色の変更が素早く行え、目立つ色にすることが可能となる。
【００１５】
請求項３に示すように浮子本体（１）として、くびれ部（１４）を中央に有する略繭形状に形成され、且つ上下キャップ（２），（３）の開口部を狭くすることにより、各部品の構造が簡単となる。
【００１６】
請求項４に示すように上下キャップ（２），（３）を同一形状とすることにより、少ない数量の浮子本体（１）であっても、多くの色の変更がより簡単に行えるものとなり、且つ部品点数が減少出来るものとなる。特に割り溝（２２）があるため、上キャップ（２）を積重させることが出来るため、多種類の色の上キャップ（２）を用意しても嵩張らずに持運びすることができるものとなる。
【００１７】
請求項５のように中心に達する割り溝（１２）を形成すると共に下端に突出部（１５）を設けた浮子本体（１）と、該浮子本体（１）の上部に冠着可能で中心に達する割り溝（２２）を形成した上キャップ（２）と、浮子本体（１）の突出部（１５）に装着可能で中心に達する割り溝（４２）を形成したキャップ（４）とから成り、上キャップ（２）を浮子本体（１）の中央付近と弾性係止可能に成し、且つキャップ（４）を浮子本体（１）の下部と弾性係止可能にすることにより、浮子の横移動で釣糸（５）を貫通穴（１１）に通すことが可能となるので、釣糸（５）を切ることなく簡単で素早く、目的や用途に応じた種々の浮子全体の交換がワンタッチで行えるものとなる。また上キャップ（２）の交換が容易であり、浮子の色を簡単に且つ素早く変更することが出来るものとなる。
【００１８】
請求項６のように浮子本体（１）の中央付近で円周方向に１本の外周溝（１３）を形成し、上キャップ（２）の開口部付近の内周に係止用突起（２３）を形成させ、且つキャップ（４）の開口部付近の内周に係止用突起（４３）を形成することにより、上キャップ（２）の割り溝（２２）が手で簡単に広がるため、浮子本体（１）の外周溝（１３）に係止用突起（２３）が容易に係止出来ると共に弾性力が付勢された状態のものとなり、上キャップ（２）が簡単に且つ確実に浮子本体（１）と一体化されるものとなる。更に割り溝（２２）を手で広げることにより、上キャップ（２）が簡単に取外されるものとなるため、浮子の色の変更が素早く行え、目立つ色にすることが可能となる。
【００１９】
請求項７に示すように突出部（１５）の外周にネジ山を刻設させ、且つキャップ（４）にはネジ山と螺合するネジ穴を形成することにより、キャップ（４）の割り溝（４２）を手で広げることにより、キャップ（４）を回転させずに簡単に螺合させたり取外したりすることが出来るものとなると共に少しの回転でキャップ（４）の締付けが可能となる。しかもキャップ（４）はネジ山と螺合させた状態で弾性力が付勢された状態となるため、より強固に浮子本体（１）とキャップ（４）が一体化されるものとなる。
【図面の簡単な説明】
【図１】本発明の実施形態を示す分解部品の斜視図である。
【図２】本発明の別実施形態を示す分解部品の斜視図である。
【図３】本発明の他の実施形態を示す分解部品の斜視図である。
【図４】図１の組立状態を示す斜視図である。
【図５】図３の組立状態を示す斜視図である。
【図６】図４、図５の断面状態を示す説明図である。
【図７】本実施形態の浮子本体の横断面を示す断面図である。
【図８】従来品の実施形態を示す要部の分解部品の説明図である。
【符号の説明】
１  浮子本体
１２  割り溝
１３  外周溝
１４  くびれ部
１５  突出部
２  上キャップ
２２  割り溝
２３  係止用突起
３  下キャップ
３２  割り溝
３３  係止用突起
４  キャップ
４２  割り溝
４３  係止用突起
【図１】
2004222523.tif 000003
【図２】
2004222523.tif 000004
【図３】
2004222523.tif 000005
【図４】
2004222523.tif 000006
【図５】
2004222523.tif 000007
【図６】
2004222523.tif 000008
【図７】
2004222523.tif 000009
【図８】
2004222523.tif 000010